(57)【要約】      （修正有）【課題】簡素な構造で、洗浄、取扱いが容易である等々の優れた効果を発揮できるだけでなく、優れた輻射効果と、高い強度を有する放熱防止帯を提供する。【解決手段】長手方向に所定の長さを有し、長手方向に直交する横手方向に所定の幅を有する直方体状の放熱防止帯１であって、長手方向における所定の間隔で横手方向に延びる折り目部２ａ，２ｂ，２ｃが形成され、当該折り目部で折れ曲がることにより横断面をジグザグ状に形成する。【選択図】図１
0003144854.tif 000002
【実用新案登録請求の範囲】
【請求項１】
長手方向に所定の長さを有し、長手方向に直交する横手方向に所定の幅を有する直方体状の放熱防止帯であって、
長手方向における所定の間隔で横手方向に延びる折り目部が形成され、当該折り目部で折れ曲がることにより横断面がジグザグ状に形成されている
ことを特徴とする放熱防止帯。
【請求項２】
長手方向に所定の長さを有し、長手方向に直交する横手方向に所定の幅を有する直方体状の放熱防止帯であって、
長手方向における所定の間隔で横手方向に延びる折り目部が形成され、
前記形成されている複数の折り目部の中の、所定の隣接する折り目部と折り目部との間が平坦面に形成され、
前記形成されている複数の折り目部の中の、所定の隣接する３本の折り目部によって、当該放熱防止帯が折れ曲がり、当該放熱防止帯の一方の面から突出する、あるいは当該放熱防止帯の前記一方の面と背中合わせになる他方の面から突出する
ことを特徴とする放熱防止帯。
【請求項３】
前記複数の折り目部の中の所定の折り目部が形成されている位置において、長手方向に延びる対向する２縁辺の一方の縁辺から前記放熱防止帯の内側方向に所定の長さにわたって延びる切り欠き部が形成されている
ことを特徴とする請求項１または２記載の放熱防止帯。
【考案の詳細な説明】
【技術分野】
【０００１】  この考案はガスレンジ等の加熱手段の上に鍋などの調理容器を載置して当該調理容器を加熱する際の放熱を防止する放熱防止具に関する。
【背景技術】
【０００２】  従来、ガスレンジ等の加熱手段の上に鍋などの調理容器を載置して当該調理容器を加熱し、調理する際の放熱を防止する放熱防止具としては、加熱手段の火炎部、例えば、ガスバーナー部と調理容器（例えば、鍋）全体をカバーするものが知られている。しかし、これは汎用性が無いため、実際にはほとんど使用されていない。【０００３】  そこで、本願の考案者は、加熱調理器具の火炎部（例えば、ガスバーナー部）の周囲に配備される五徳と組み合わされて使用されるものであって、前記五徳の外周に配備されて使用され、前記五徳の外周に配備された際の上端縁の高さ位置が、前記五徳の上端縁の高さ位置より低くなるように形成されている環状の放熱防止用遮蔽帯からなる放熱防止具を提案している（特許文献１）。【０００４】
【特許文献１】特開２００４−７７１０１
【考案の開示】
【考案が解決しようとする課題】
【０００５】  本願の考案者が提案した前記の特許文献１記載の放熱防止具は、簡素な構造で、洗浄、取扱いが容易である等々の優れた効果を発揮することができたが、輻射効率の改善、強度、などの面において改善する余地があった。【０００６】  そこで、本考案は、簡素な構造で、洗浄、取扱いが容易である等々の優れた効果を発揮できるだけでなく、優れた輻射効果と、高い強度を有する放熱防止帯を提案することを目的にしている
【課題を解決するための手段】
【０００７】  前記目的を達成するため本願は以下の考案を提案するものである。【０００８】  請求項１記載の考案は、
長手方向に所定の長さを有し、長手方向に直交する横手方向に所定の幅を有する直方体状の放熱防止帯であって、
長手方向における所定の間隔で横手方向に延びる折り目部が形成され、当該折り目部で折れ曲がることにより横断面がジグザグ状に形成されている
ことを特徴とする放熱防止帯である。【０００９】    請求項２記載の考案は、
長手方向に所定の長さを有し、長手方向に直交する横手方向に所定の幅を有する直方体状の放熱防止帯であって、
長手方向における所定の間隔で横手方向に延びる折り目部が形成され、
前記形成されている複数の折り目部の中の、所定の隣接する折り目部と折り目部との間が平坦面に形成され、
前記形成されている複数の折り目部の中の、所定の隣接する３本の折り目部によって、当該放熱防止帯が折れ曲がり、当該放熱防止帯の一方の面から突出する、あるいは当該放熱防止帯の前記一方の面と背中合わせになる他方の面から突出する
ことを特徴とする放熱防止帯である。【００１０】    請求項３記載の考案は、
前記複数の折り目部の中の所定の折り目部が形成されている位置において、長手方向に延びる対向する２縁辺の一方の縁辺から前記放熱防止帯の内側方向に所定の長さにわたって延びる切り欠き部が形成されている
ことを特徴とする請求項１または２記載の放熱防止帯である。
【考案の効果】
【００１１】  この考案によれば、簡素な構造で、洗浄、取扱いが容易である等々の優れた効果を発揮できるだけでなく、優れた輻射効果と、高い強度を有する放熱防止帯を提供できる。また、ガスレンジ等の加熱手段の上に鍋などの調理容器を載置して当該調理容器を加熱する際に、輻射熱の拡散を防止し、省エネルギーに貢献することができる。
【考案を実施するための最良の形態】
【００１２】  以下、添付図面を参照して本考案の好ましい実施形態を説明する。【００１３】  この考案の放熱防止帯１は、図１（ａ）図示のように、長手方向に所定の長さ（Ｌ）を有し、長手方向に直交する横手方向に所定の幅（Ｗ）を有する直方体状で、金属などの不燃性素材によって形成したものである。【００１４】  放熱防止帯１には長手方向における所定の間隔で横手方向に延びる折り目部２ａ、２ｂ、２ｃ、・が形成されている（以下「折り目部２ａ、２ｂ、２ｃ、・」を総称して「折り目部２」ということがある）。【００１５】  この折り目部２が形成されている位置で折れ曲がることにより、この考案の放熱防止帯１は、図１（ａ）図示のように、横断面がジグザグ状になるように形成されている。【００１６】  本考案の放熱防止帯１を使用する場合には、放熱防止帯１を湾曲させ、ガスレンジなどの加熱調理器具の火炎部（例えば、ガスバーナー部）によって底面側が加熱される鍋などの調理器具の周長、径の大きさに対応した周長、直径を有するように丸める（図１（ｂ））。この際に、径方向の内外に重なり合うことになる放熱防止帯１の両端部３ａ、３ｂ（図１（ａ））を結合具５でとめる。図１（ｂ）において、符号４で示されている部分が、放熱防止帯１の両端部３ａ、３ｂ（図１（ａ））が重なり合っている領域である。【００１７】  結合具５は、例えば、金属などの不燃性素材からなり、図１（ｂ）の状態で下側方向に開口する溝条（不図示）を有し、この溝条に、径方向の内外に重なり合っている放熱防止帯１の両端部３ａ、３ｂ（図１（ａ））をはさみ込むことにより結合を行って、図１（ｂ）図示のように周状になった放熱防止帯１とするものである。【００１８】  図２は、本考案の放熱防止帯１が、ガスバーナー部８、五徳７を備えている熱調理器具の火炎部の周囲に配置された状態を説明する平面図である。【００１９】  長手方向における所定の間隔で横手方向に延びる折り目部２が形成されていることにより、ガスレンジなどの加熱調理器具の火炎部（例えば、ガスバーナー部）によって底面側が加熱される鍋などの調理器具の周長、径の大きさに対応した周長、直径を有するように放熱防止帯１を丸める際（図１（ｂ））、曲面を形成しやすく、簡単に丸めることができる。【００２０】  また、ガスレンジなどの加熱調理器具の火炎部（例えば、ガスバーナー部）によって底面側が加熱される鍋などの調理器具の周長、径の大きさに対応した周長、直径を有するように丸め（図１（ｂ））、放熱防止帯１の両端部３ａ、３ｂ（図１（ａ））を径方向の内外に重なり合わせるときに、折り目部２が形成されていることにより、重ね合わせのズレを防止することができる。【００２１】  更に、長手方向における所定の間隔で横手方向に延びる折り目部２が形成されていることにより、横断面がジグザグ状に形成され、強度が高められている。【００２２】  なお、このように、長手方向における所定の間隔で横手方向に延びる折り目部２が形成されていることにより、横断面がジグザグ状に形成され、火炎部からの熱に対する輻射効率を高め、また、燃焼ガスの排気を確保することもできる。
燃焼ガスの排気を確保する点に関しては、放熱防止帯１を図１（ｂ）図示のように丸め、ガスレンジなどの加熱調理器具の火炎部（例えば、ガスバーナー部）によって底面側が加熱される鍋などの調理器具の周長、径の大きさに対応した周長、直径を有するようにしたときに、放熱防止帯１の図１（ｂ）中、上側の縁辺が前記鍋などの調理器具の外周壁に接する場合が考えられるが、そのような場合、横断面がジグザグ状に形成されていることから、これによって排気道が確保される。【００２３】  図３は、本考案の放熱防止帯１がガスバーナー部８、五徳７を備えている熱調理器具の火炎部の周囲に配置された状態の一例を説明する側面図である。【００２４】  本考案の放熱防止帯１では、複数の折り目部１２の中の所定の折り目部が形成されている位置において、長手方向に延びる対向する２縁辺の一方の縁辺（図１（ａ））図示の状態では、下側の縁辺）から放熱防止帯１の内側方向に所定の長さにわたって延びる切り欠き部６、６、６が形成されている。【００２５】  この切り欠き部６、６、６は、本考案の放熱防止帯１を、ガスバーナー部８、五徳７を備えている熱調理器具の火炎部の周囲に配置したときであって、五徳７の下側片を跨ぐ必要があるときに、図３図示のように、五徳７の下側片が通過できるスペースを提供する。
本考案の放熱防止帯１は、ガスレンジなどの加熱調理器具の火炎部（例えば、ガスバーナー部）によって底面側が加熱される鍋などの調理器具の周長、径の大きさに対応した周長、直径を有するように湾曲させ、丸めて使用する（図１（ｂ））。そこで、鍋などの調理器具の周長、径があまり大きくない場合には、放熱防止帯１が五徳７の下側片を跨ぐ必要が生じることがある。
このような場合に、複数の折り目部１２の中の所定の折り目部が形成されている位置において、長手方向に延びる対向する２縁辺の一方の縁辺（図１（ａ））図示の状態では、下側の縁辺）から放熱防止帯１の内側方向に所定の長さにわたって延びる切り欠き部６、６、６が形成されていることにより、前記切り欠き部６、６、６を利用して、五徳７の下側片を跨ぐようにすることができる。【００２６】  図４（ａ）、（ｂ）は本考案の他の放熱防止帯１１を示すものである。図１（ａ）、（ｂ）を用いて説明した前述の放熱防止帯１と共通する部材、構造には共通する符号をつけ、その説明を省略する。【００２７】  この放熱防止帯１１においても、長手方向における所定の間隔で横手方向に延びる折り目部１２ａ、１２ｂ、１２ｃ、・・が形成されている（以下「折り目部１２ａ、１２ｂ、１２ｃ、・・」を総称して「折り目部１２」ということがある）。【００２８】  そして、この形成されている複数の折り目部１２の中の、所定の隣接する折り目部と折り目部との間（図４（ａ）図示の実施形態では、折り目部１２ｂと、折り目部１２ｃとの間）が平坦面９ａに形成されている。【００２９】  また、形成されている複数の折り目部１２の中の、所定の隣接する３本の折り目部（図４（ａ）図示の実施形態では、折り目部１２ｃ、折り目部１２ｄ、折り目部１２ｅ）によって、放熱防止帯１が折れ曲がり、放熱防止帯１の一方の面から突出するようになっている。【００３０】  図４（ａ）、（ｂ）図示の実施形態では、図４（ｂ）図示のように周状に形成して熱調理器具の火炎部の周囲に配置した際に、径方向外側に向かって突出する方向で、放熱防止帯１が折れ曲がり、放熱防止帯１の一方の面から突出している。【００３１】  これとは逆に、図示していないが、図４（ｂ）図示のように周状に形成して熱調理器具の火炎部の周囲に配置した際に、径方向内側に向かって突出する方向で、放熱防止帯１が折れ曲がる、即ち、放熱防止帯１の前述した一方の面と背中合わせになる他方の面から突出するように、放熱防止帯１が折れ曲がる形態にすることもできる。【００３２】  図４（ａ）、（ｂ）図示の放熱防止帯１１の使用方法、作用・効果は、図１（ａ）、（ｂ）を用いて説明した放熱防止帯１の使用方法、作用・効果と同様であるので省略する。
【図面の簡単な説明】
【００３３】
【図１】（ａ）本考案の放熱防止帯の斜視図、（ｂ）図１（ａ）図示の放熱防止帯を熱調理器具の火炎部の周囲に配置すべく周状に丸めた状態の斜視図。
【図２】図１図示の本考案の放熱防止帯を周状に丸めて熱調理器具の火炎部の周囲に配置した状態の平面図。
【図３】本考案の放熱防止帯が周状に丸められて熱調理器具の火炎部の周囲に配置された他の状態を説明する側面図。
【図４】（ａ）本考案の他の放熱防止帯の斜視図、（ｂ）図４（ａ）図示の放熱防止帯を熱調理器具の火炎部の周囲に配置すべく周状に丸めた状態の斜視図。
【符号の説明】
１  放熱防止帯
２、２ａ、２ｂ、２ｃ  折り目部
３ａ、３ｂ  放熱防止帯の両端部
５  結合具
４  放熱防止帯の両端部が重なり合っている領域
８  ガスバーナー部
７  五徳
６  切り欠き部
１１  放熱防止帯
１２、１２ａ、１２ｂ、１２ｃ、折り目部
９ａ  平坦面
【図１】
0003144854.tif 000003
【図２】
0003144854.tif 000004
【図３】
0003144854.tif 000005
【図４】
0003144854.tif 000006